(57)【要約】【課題】  商品の左右幅寸法が長寸の商品であっても、安定して前方に押圧できるとともに、安価に製造することができる商品押出装置を提供する。【解決手段】  棚板２上には、この棚板２上を仕切る仕切板３が商品Ｗ群の左右側にそれぞれ配置されるとともに、商品押出装置５は、商品Ｗ群の後方に配置され、最後位置の商品Ｗ後面の少なくとも左右端部を前方に向けて押圧する押圧面１０ａを有する押圧部材１０と、この押圧部材１０の左右側に後端がそれぞれ取り付けられる左右一対の引っ張りバネ１２と、を備えており、この左右一対の引っ張りバネ１２は、それぞれの前端が商品Ｗ群の左右側面に沿うように前方に向けて延出され、仕切板３の前端部に係止されている。【選択図】  図２
2006217971.tif 000002
【特許請求の範囲】
【請求項１】
棚板上に前後方向に向けて陳列される商品群の最後位置の商品を後方から押圧することにより、最前位置の商品が取り出されたときにその後方の商品が前方に向けて押し出されるようにした商品押出装置を備える棚であって、
前記棚板上には、該棚板上を仕切る仕切板が前記商品群の左右側にそれぞれ配置されるとともに、前記商品押出装置は、前記商品群の後方に配置され、最後位置の商品後面の少なくとも左右端部を前方に向けて押圧する押圧面を有する押圧部材と、該押圧部材の左右側に後端がそれぞれ取り付けられる左右一対の引っ張りバネと、を備えており、該左右一対の引っ張りバネは、それぞれの前端が前記商品群の左右側面に沿うように前方に向けて延出され、前記仕切板の前端部に係止されていることを特徴とする商品押出装置を備える棚。
【請求項２】
前記仕切板は、前記棚板上における左右方向の位置を変更可能に設けられているとともに、前記押圧部材は、左右幅の調節が可能となるように伸縮自在に構成されていることを特徴とする請求項１に記載の商品押出装置を備える棚。
【請求項３】
前記押圧部材の左右側に、前記仕切板の内面に摺接可能な摺接面が前後方向に延びるように形成されていることを特徴とする請求項１または２に記載の商品押出装置を備える棚。
【請求項４】
前記引っ張りバネは巻バネであり、収縮時において前記押圧部材に設けられた巻取り部に巻回された状態で収容されることを特徴とする請求項１〜３のいずれかに記載の商品押出装置を備える棚。
【請求項５】
前記引っ張りバネは、伸張時において前記仕切板の内面に沿うように設けられていることを特徴とする請求項１〜４のいずれかに記載の商品押出装置を備える棚。
【請求項６】
前記仕切板の前端部に、前記引っ張りバネの前端を係止可能な係止孔が形成されていることを特徴とする請求項１〜５のいずれかに記載の商品押出装置を備える棚。
【請求項７】
前記係止孔は、前記引っ張りバネの前端と、前記仕切板を挟んで反対側に陳列される商品群を押圧する押圧部材に設けられた引っ張りバネの前端と、を上下方向に並設した状態で係止可能な上下幅を有していることを特徴とする請求項１〜６のいずれかに記載の商品押出装置を備える棚。
【発明の詳細な説明】
【技術分野】
【０００１】
本発明は、棚板上に前後方向に向けて陳列される商品群の最後位置の商品を後方から押圧することにより、最前位置の商品が取り出されたときにその後方の商品が前方に向けて押し出されるようにした商品押出装置を備える棚に関する。
【背景技術】
【０００２】
従来、この種の商品押出装置としては、例えば商品押圧本体に回転可能に支持されたリールに巻回された紐状体の引き出し端を陳列棚の前方部に固定し、リールを回転して紐状体を巻取ることにより商品押圧本体を陳列棚の前端側へ移動させるようにしたものがある（例えば、特許文献１参照）。
【０００３】
また、水平に置かれた取付部材に摺動部材と複数個の定荷重バネが設けられるとともに、バネに設けられたホルダーもしくは摺動部材に物品押出部が設けられ、定荷重バネの力で物品押圧部により物品を前方に押し出すようにしたものがある（例えば、特許文献２参照）。
【０００４】
【特許文献１】特開平９−２３８７８７号公報（第４頁、第１図）
【特許文献２】特開平７−２５０７４４号公報（第３頁、第１図）
【発明の開示】
【発明が解決しようとする課題】
【０００５】
しかしながら、特許文献１、２に記載の商品押出装置にあっては、商品押圧本体を移動させる紐状体や物品押出部を移動させる定荷重バネが、商品の下方における左右幅方向の略中央位置を通るように１本のみ設けられているため、特に左右幅寸法が長寸の商品を押圧する場合にあっては、押圧時において商品の左右端部が前後方向に傾いてしまうことがあるといった問題を有していた。
【０００６】
また、これら紐状体や定荷重バネは商品の下面と棚板上面との間を通す構造であり、紐状体や定荷重バネの上に商品が直接載置されて左右のがたつき等が生じることがないように、紐状体や定荷重バネの上方に商品の載置面を形成しているため、特に商品の左右幅寸法が長寸の場合には、載置面の左右幅寸法を幅広にする必要があるため、装置本体が大型化して製造コストが嵩むといった問題があった。
【０００７】
本発明は、このような問題点に着目してなされたもので、商品の左右幅寸法が長寸の商品であっても、安定して前方に押圧できるとともに、安価に製造することができる商品押出装置を提供することを目的とする。
【課題を解決するための手段】
【０００８】
前記課題を解決するために、本発明の請求項１に記載の商品押出装置は、
棚板上に前後方向に向けて陳列される商品群の最後位置の商品を後方から押圧することにより、最前位置の商品が取り出されたときにその後方の商品が前方に向けて押し出されるようにした商品押出装置を備える棚であって、
前記棚板上には、該棚板上を仕切る仕切板が前記商品群の左右側にそれぞれ配置されるとともに、前記商品押出装置は、前記商品群の後方に配置され、最後位置の商品後面の少なくとも左右端部を前方に向けて押圧する押圧面を有する押圧部材と、該押圧部材の左右側に後端がそれぞれ取り付けられる左右一対の引っ張りバネと、を備えており、該左右一対の引っ張りバネは、それぞれの前端が前記商品群の左右側面に沿うように前方に向けて延出され、前記仕切板の前端部に係止されていることを特徴としている。
この特徴によれば、棚板上に陳列された商品群における最後位置の商品後面の左右端部が、それぞれ別々の引っ張りバネの引っ張り力により前方に向けて押圧されるため、左右幅寸法が長寸の商品であっても、左右端部が前後に傾くことなく、安定して押圧されるばかりか、引っ張りバネは商品群の左右側面に沿うように延出されていることで、商品を安定した状態で棚板上に載置できるとともに、商品の側方への移動が引っ張りバネにて規制されるため、商品の一部が側方に突出することがない。また、引っ張りバネの前端を仕切板の前部に係止できるので、棚板に係止部等を新たに形成する必要がない。
なお、前記引っ張りバネは、押圧部材を前方に向けて引っ張る引っ張り力が付与されたものであれば、いわゆるコイルバネやゴムベルト等、部材自体が有する伸縮性にて引っ張り力を有するものであってもよいし、あるいは、所定長さのワイヤーやベルトと、該ワイヤーやベルトを巻き取り可能なリールと、からなり、リールをトーションバネや渦巻きバネ等により巻取り方向に付勢したもの等も含まれる。
【０００９】
本発明の請求項２に記載の商品押出装置は、請求項１に記載の商品押出装置であって、
前記仕切板は、前記棚板上における左右方向の位置を変更可能に設けられているとともに、前記押圧部材は、左右幅の調節が可能となるように伸縮自在に構成されていることを特徴としている。
この特徴によれば、商品の左右幅に応じて仕切板の配置位置及び押圧部材の左右幅を変更できるので、商品の左右端部を押圧面により確実に押圧することができる。
【００１０】
本発明の請求項３に記載の商品押出装置は、請求項１または２に記載の商品押出装置であって、
前記押圧部材の左右側に、前記仕切板の内面に摺接可能な摺接面が前後方向に延びるように形成されていることを特徴としている。
この特徴によれば、摺接面と仕切板の内面とが摺接することにより、押圧部材の左右端部が前後方向に傾くことが防止されるため、安定した状態で商品を押圧できる。
【００１１】
本発明の請求項４に記載の商品押出装置は、請求項１〜３のいずれかに記載の商品押出装置であって、
前記引っ張りバネは巻バネであり、収縮時において前記押圧部材に設けられた巻取り部に巻回された状態で収容されることを特徴としている。
この特徴によれば、収縮時において余分な引っ張りバネがコンパクトに収容され、これにより押圧部材の前後幅を極力薄くできるため、押圧面を棚の後方位置まで押し込むことでより多くの商品を陳列することができる。
【００１２】
本発明の請求項５に記載の商品押出装置は、請求項１〜４のいずれかに記載の商品押出装置であって、
前記引っ張りバネは、伸張時において前記仕切板の内面に沿うように設けられていることを特徴としている。
この特徴によれば、引き出された引っ張りバネが仕切板により目立たなくなるため、外観体裁が向上する。
【００１３】
本発明の請求項６に記載の商品押出装置は、請求項１〜５のいずれかに記載の商品押出装置であって、
前記仕切板の前端部に、前記引っ張りバネの前端を係止可能な係止孔が形成されていることを特徴としている。
この特徴によれば、引っ張りバネの前端を仕切板に確実に係止することができる。
【００１４】
本発明の請求項７に記載の商品押出装置は、請求項１〜６のいずれかに記載の商品押出装置であって、
前記係止孔は、前記引っ張りバネの前端と、前記仕切板を挟んで反対側に陳列される商品群を押圧する押圧部材に設けられた引っ張りバネの前端と、を上下方向に並設した状態で係止可能な上下幅を有していることを特徴としている。
この特徴によれば、隣り合う商品群とで仕切板を共用して使用することができるため、コストを効果的に低減できるばかりか、隣り合う引っ張りバネの前端同士が重なり合うことがないので、確実に係止できる。
【発明を実施するための最良の形態】
【００１５】
本発明の実施例を以下に説明する。
【実施例】
【００１６】
本発明の実施例を図面に基づいて説明すると、先ず図１は、商品陳列用の什器の全体像を示す斜視図であり、図２（ａ）は、商品押出装置を示す分解斜視図であり、図２（ｂ）は、商品押出装置を組み立てた状態を示す斜視図であり、図３は、商品押出装置を示す平面図であり、図４（ａ）は、商品押出装置を示す側面図であり、図４（ｂ）は、棚板から商品を取り出したときの側面図である。以下、図１および図２の左下側を商品押出装置の前方側（正面側）とし、図３の下方側を商品押出装置の前方側（正面側）とし、図４の左側を商品押出装置の前方側（正面側）として説明する。
【００１７】
図１の符号１は、食料品等を販売する店舗内に設置される什器（棚）であり、この什器１は、上下複数段の商品陳列用の棚板２を有しており、この棚板２の上面には、棚板２の上面領域を左右方向に仕切る複数の仕切板３が取り付けられ、各々の仕切板３の間には商品Ｗが前後方向に並べて陳列されている。棚板２の前端には、陳列される最前位置の商品Ｗの落下を防ぐためにアクリル板などで構成された落下防止具４が取り付けられるとともに、陳列される最後位置の商品Ｗの後方側には、商品Ｗを前方側へ押圧するための商品押出装置５が設けられている。
【００１８】
図２（ａ）に示すように、仕切板３の前端には、下方に突設された係合爪６が形成されるとともに、棚板２の前端の上面には、複数列の係合穴８が形成されており、仕切板３の前端の係合爪６が、棚板２の前端の係合穴８に係合される。また、仕切板３の後端にも略鍵状の係合爪７が形成されるとともに、棚板２の後端にも複数列の係合穴９が形成されており、仕切板３の後端の係合爪７が、棚板２の後端の係合穴９に係合される。図２（ｂ）に示すように、仕切板３は、係合爪６、７が係合される棚板２の係合穴８、９の位置を変えることで、棚板２に陳列される商品Ｗの種類に応じて、仕切板３の棚板２の上面における左右方向の位置を任意に変更可能になっているとともに、隣り合う仕切板３同士の離間幅を自在に変更できる。
【００１９】
また図２（ａ）に示す商品押出装置５は、略箱形状をなす左右一対の押圧部材１０を有しており、各々の押圧部材１０同士を連結する伸縮自在な棒状をなす連結部材１１が設けられている。互いの押圧部材１０同士の間の幅は連結部材１１を伸縮させることで自在に調節できるため、商品の左右幅に応じて仕切板３同士の間の幅を広くしたり、狭くしても商品押出装置５を仕切板３同士の間に配置できる。
【００２０】
更に図２（ａ）に示すように、押圧部材１０の前面には、棚板２に陳列される商品Ｗを後方から押圧する押圧面１０ａが形成されるとともに、押圧部材１０の側面（外面）には、仕切板３の内面に摺接可能な摺接面１０ｂが前後方向に延びるように形成されている。左右に配置される各々の押圧部材１０は、帯状をなす金属製の本実施例における引っ張りバネとしてのコンストンバネ１２をそれぞれ有しており、押圧部材１０の内部には、コンストンバネ１２が巻回された状態で収納される巻取り部１３が形成されている。この左右一対のコンストンバネ１２は、収縮時において押圧部材１０に設けられた巻取り部１３内に巻回された状態で収容されるため、収縮時において余分なコンストンバネ１２がコンパクトに収容され、これにより押圧部材１０の前後方向の幅を極力薄く形成できる。
【００２１】
図３に示すように、押圧部材１０の巻取り部１３に収納されるコンストンバネ１２の前端は、左右それぞれの押圧部材１０の押圧面１０ａにおける左右端下部に形成された孔部１０ｃから前方に向かって引き出すことができ、引き出されたコンストンバネ１２は、仕切板３に沿って配置される。図２（ａ）に示すように、コンストンバネ１２の前端には、係止爪１４が形成されるとともに、この係止爪１４が係止される係止孔１５が仕切板３の前端に形成されており、コンストンバネ１２の係止爪１４を仕切板３の係止孔１５に係止することで、コンストンバネ１２が仕切板３に係止される。
【００２２】
図２（ｂ）に示すように、係止爪１４と係止孔１５によってコンストンバネ１２の前端が仕切板３の前端に係止されるので、コンストンバネ１２の着脱が容易であり、かつコンストンバネ１２を仕切板３に固着させるために別途ネジ等の部品を用いる必要がないとともに、棚板２に係止部等を新たに形成する必要がない。また図３に示すように、左右に配置されるコンストンバネ１２は、互いに平行に、かつ仕切板３とほぼ並行に張設されており、左右のコンストンバネ１２の間には、複数の商品Ｗが並べられる。
【００２３】
図２（ａ）に示す商品押出装置５について更に詳述すると、商品押出装置５のコンストンバネ１２の前端は上半分若しくは下半分のいずれかが切り欠かれており、コンストンバネ１２の切り欠かれてない方の端部が鍵状に屈曲されて係止爪１４が形成されている。更に仕切板３の前端に形成された係止孔１５の上下方向の幅は、コンストンバネ１２の係止爪１４の上下方向の幅よりも幅広に形成されており、仕切板３を挟んで反対側に配置されるコンストンバネ１２の係止爪１４と上下方向に並設した状態で係止できる。そのため隣り合う商品Ｗの列同士で仕切板３を共用して使用することができるようになり、什器１製造のためのコストを効果的に低減できるばかりか、隣り合うコンストンバネ１２の係止爪１４同士が重なり合うことがないので確実に係止できる。
【００２４】
例えば図２（ｂ）に示すように、商品押出装置５の右側に配置されたコンストンバネ１２の前端の下方側に係止爪１４が形成されるとともに、商品押出装置５の左側に配置されたコンストンバネ１２の前端の上方側に係止爪１４が形成されるようにすることで、２つの商品押出装置５を棚板２の左右方向に並設したときに、仕切板３を挟んで配置されるコンストンバネ１２の係止爪１４同士が、仕切板３の１つの係止孔１５に互いに上下方向に並設するように係止させることができる。
【００２５】
また、このように商品押出装置５の左右のコンストンバネ１２の係止爪１４の上下位置をずらして配置することで、商品押出装置５の製造時に、１種類のコンストンバネ１２を形成するだけで、商品押出装置５の左右に配置された押圧部材１０の両方で共用できるコンストンバネ１２を製造することができる。
【００２６】
更に、コンストンバネ１２の前端を切り欠いて係止爪１４を形成することで、コンストンバネ１２の上下幅と関係なく係止爪１４の上下幅を所定幅で形成でき、かつコンストンバネ１２の上下幅を、商品Ｗを押圧するために必要とする引っ張り力に応じて幅広にしたり、幅狭にしたりすることができる。
【００２７】
図３に示すように、コンストンバネ１２の前端を仕切板３に係止させた状態では、押圧部材１０は、コンストンバネ１２の引っ張り力によって常に前方に向かって付勢される。押圧部材１０と落下防止具４との間に商品Ｗを並べていくと、押圧部材１０は後方側に移動されると同時にコンストンバネ１２が有する引っ張り力によって、陳列された商品Ｗは常に前方側に向かって押圧される。
【００２８】
更にコンストンバネ１２が巻取り部１３に巻回された状態でコンパクトに収容され、押圧部材１０の前後方向の幅が極力薄く形成されるようになっているため、商品Ｗを棚板２に陳列したときに、押圧部材１０の押圧面１０ａが極力後方位置に配置されるようになり、棚板２の背面板近傍（棚板の後方位置）まで商品Ｗを押し込むことができ、より多くの商品Ｗを陳列することができる。
【００２９】
図４（ａ）に示すように、棚板２に陳列される商品Ｗは、最後位置の商品Ｗの後面が、押圧部材１０の押圧面１０ａによって押圧されるので、最前位置にある商品Ｗの前面が、常に落下防止具４に当接する位置になるまで前方に押し出されるようになる。そのため客が最前位置の商品Ｗを取り出し易くなっている。
【００３０】
また図４（ｂ）に示すように、客が最前位置の商品Ｗを取り出すと、左右一対の押圧部材１０の押圧面１０ａが、最後位置の商品Ｗの後面左右端部を前方に向けて押圧するので、陳列される商品Ｗは前方にスライド移動される。このとき、最後位置の商品Ｗの後面左右端部が左右一対の押圧面１０ａにて押圧されるとともに、押圧部材１０の摺接面１０ｂが仕切板３の内面に摺接されて前方に向けて案内されるため、押圧部材１０の左右端部が前後方向に傾くことが防止され、安定した状態で商品Ｗを押圧できるようになっている。
【００３１】
また、図３に示すように、棚板２に陳列された商品Ｗの後面の左右端部が、それぞれ別々のコンストンバネ１２の引っ張り力により前方に向けて押圧されるようになっているため、左右幅寸法が長寸の商品であっても、商品Ｗの左右端部が前後に傾くことなく、安定して前方側に押圧される。
【００３２】
更にコンストンバネ１２は、商品Ｗの左右側面に沿うように前方に向けて引き出されていることで、商品Ｗの左右側面が張設された左右のコンストンバネ１２にて挟まれてガイドされることになるため、商品Ｗを安定した状態で棚板２に載置できるとともに、商品Ｗの側方への移動がコンストンバネ１２にて規制されるため、並べられた商品Ｗの一部が側方に突出することなく陳列できる。かつ連結部材１１を伸縮させることで、商品Ｗの左右幅に応じて押圧部材１０同士の左右幅を変更でき、商品Ｗの左右端部を押圧面１０ａにより確実に押圧することができる。
【００３３】
更に、コンストンバネ１２は、左右の押圧面１０ａの左右端下部位置から延出されており、伸張時において仕切板３の内面に沿うように設けられているので、引き出されたコンストンバネ１２が仕切板３により目立たなくなり、什器１の外観体裁が向上するばかりか、コンストンバネ１２を極力仕切板３の内面に近接させることが好ましく、このようにすれば、商品Ｗの移動が仕切板３によってもガイドされることになるため、安定性が向上する。
【００３４】
また、図４に示すように、棚板２が前方が下がるように傾斜されていても、押圧部材１０が商品Ｗを強制的に押し出すことで、商品Ｗの列が崩れたり、倒れたりすることなく前方にスライド移動させることができる。尚、棚板２は傾斜されている必要はなく、棚板２が水平状態であってもよいし、棚板２の前方が上がるように傾斜されていても、押圧部材１０が商品Ｗを押し出すことで、最前位置の商品Ｗを常に棚板２の前端に配置することができる。
【００３５】
コンストンバネ１２は引っ張り力（トルク）が常に一定であり、コンストンバネ１２は引き出された長さに応じて引っ張り力が変化しないようになっている。そのため押圧部材１０が商品Ｗを押圧する力が、並べられる商品Ｗの個数に応じて変化せずに、常に一定の押圧力で商品Ｗが前方に向かって押圧されるようになっている。
【００３６】
以上、本発明の実施例を図面により説明してきたが、具体的な構成はこれら実施例に限られるものではなく、本発明の要旨を逸脱しない範囲における変更や追加があっても本発明に含まれる。
【００３７】
例えば、前記実施例では、引っ張りバネとしてコンストンバネ１２を用いて押圧部材１０を前方側に押圧していたが、本発明はコンスタントバネに限定されるものではなく、例えば押圧部材１０を前方に向けて引っ張る引っ張り力を付与できるものであれば、いわゆるコイルバネやゴムベルト等、部材自体が有する伸縮性にて引っ張り力を有するものであってもよいし、あるいは例えば所定長さのワイヤーやベルトと、該ワイヤーやベルトを巻き取り可能に付勢されたリールと、からなり、リールをトーションバネや渦巻きバネ等により巻取り方向に付勢したものであってもよい。
【００３８】
また、前記実施例では、仕切板３の内面（側面）に沿ってコンストンバネ１２が配置されていたが、前方に延出させるコンストンバネ１２の高さ位置は必ずしも前記実施例のように棚板２の上面近傍としなくてもよく、仕切板３の上辺に沿ってコンストンバネ１２が配置されるようにしてもよいし、コンストンバネ１２を仕切板３に近接させずに、仕切板３とコンストンバネ１２とを所定幅離間した状態で配置してもよい。
【００３９】
また、前記実施例では、仕切板３は棚板２の左右方向に向けて所定間隔おきに形成された複数列の係合穴８、９の係合位置を変えることにより、左右位置を変更できるようになっていたが、例えば仕切板３を、棚板２の上面を左右方向にスライド移動可能に設けることで左右位置を変更できるようにしてもよい。
【図面の簡単な説明】
【００４０】
【図１】商品陳列用の什器の全体像を示す斜視図である。
【図２】（ａ）は、商品押出装置を示す分解斜視図であり、（ｂ）は、商品押出装置を組み立てた状態を示す斜視図である。
【図３】商品押出装置を示す平面図である。
【図４】（ａ）は、商品押出装置を示す側面図であり、（ｂ）は、棚板から商品を取り出したときの側面図である。
【符号の説明】
【００４１】
１                什器
２                棚板
３                仕切板
４                落下防止具
５                商品押出装置
６、７            係合爪
８、９            係合穴
１０              押圧部材
１０ａ            押圧面
１０ｂ            摺接面
１０ｃ            孔部
１１              連結部材
１２              コンストンバネ（引っ張りバネ）
１３              巻取り部
１４              係止爪
１５              係止孔
Ｗ                商品
【図１】
2006217971.tif 000003
【図２】
2006217971.tif 000004
【図３】
2006217971.tif 000005
【図４】
2006217971.tif 000006